(57)【要約】【課題】生産ラインの配線構造であって、省施工・簡易施工であって、しかも配線の接続作業が極めて容易な、新しい配線構造を提供する。【解決手段】主幹盤本体１ａと左右両側のローカル盤本体１ｂ、１ｂは、隣り合う上部側の切欠部６が対向するように連接されるため、隣り合う盤本体１の上部側において、開口部が連なり、配線配置部としての連通路１３が形成される。前記配線配置部としての連通路１３において、配線を支持する支持部を介して配線が配置される。その結果、配線の接続時や保守・点検を行う際、盤本体１の内部又は外部より施工することができる。【選択図】図２
2007259613.tif 000002
【特許請求の範囲】
【請求項１】
複数の生産ユニットが一連に配置される生産ラインの配線構造であって、
主幹盤と、
前記各生産ユニットに対して設けられ、前記主幹盤から配線を通して電力及び/又は信号を受給し、各生産ユニットの制御対象に配線を通して電力及び/又は信号を供給する複数のローカル盤と、
を備えた生産ラインの配線構造において、
前記主幹盤と各ローカル盤は、筐体状の主幹盤本体及びローカル盤本体を有し、
前記主幹盤本体と各ローカル盤本体の上面側及び/又は下面側の少なくとも一方側に開口部を有し、
前記主幹盤本体と各ローカル盤本体とが連接されて、本体集合体が形成され、
前記本体集合体には、前記主幹盤本体と各ローカル盤本体との前記開口部を連ねることにより、配線配置部が形成され、
前記本体集合体の配線配置部に、前記配線を支持する支持部を介して、前記配線が配置されることを特徴とする生産ラインの配線構造。
【発明の詳細な説明】
【技術分野】
【０００１】
本発明は、複数の生産ユニットが一連に配置される生産ラインの配線構造に関するものである。さらに詳しくは、この発明は、配線の接続作業や保守・点検が容易であり、かつ接続変更時への対応が容易な新しい配線構造に関するものである。
【背景技術】
【０００２】
従来、複数の生産ユニットが一連に配置される生産ラインの配線構造は、図４（ａ）（ｂ）に示す通り、主幹盤１９から機械要素別の生産ユニット１７内の各制御対象１６に直接配線を接続する集中方式や、図５（ａ）（ｂ）に示す通り、生産ユニット１７に連結するように、主幹盤１９からローカル盤２０を経由して、生産ユニット１７内の各制御対象に配線を接続する分散方式が一般的に知られている。
【特許文献１】特開平６−３０３７０５号
【発明の開示】
【発明が解決しようとする課題】
【０００３】
従来の配線構造は、主幹盤１９から各制御対象１６への配線又は主幹盤１９から各ローカル盤２０への配線は、通常配線ダクト１８を通して配線される構造となっている。その結果、配線がダクト１８によって囲われているため、配線の接続作業や保守・点検に手間がかかるという課題があった。
【課題を解決するための手段】
【０００４】
従って、本発明は上記課題を解決するため、配線の接続作業が極めて容易な、新しい配線構造を提供することを目的としている。
【０００５】
前記課題を解決するために、本発明は、複数の生産ユニットが一連に配置される生産ラインの配線構造であって、主幹盤と、前記各生産ユニットに対して設けられ、前記主幹盤から配線を通して電力及び/又は信号を受給し、各生産ユニットの制御対象に配線を通して電力及び/又は信号を供給する複数のローカル盤と、を備えた生産ラインの配線構造において、前記主幹盤と各ローカル盤は、筐体状の主幹盤本体及びローカル盤本体を有し、前記主幹盤本体と各ローカル盤本体の上面側及び/又は下面側の少なくとも一方側に開口部を有し、前記主幹盤本体と各ローカル盤本体とが連接されて、本体集合体が形成され、前記本体集合体には、前記主幹盤本体と各ローカル盤本体との前記開口部を連ねることにより、配線配置部が形成され、前記本体集合体の配線配置部に、前記配線を支持する支持部を介して、前記配線が配置されることを特徴とする生産ラインの配線構造を提供する。
【発明の効果】
【０００６】
上記の通りこの発明においては、従来のように、主幹盤から各ローカル盤を配線によって接続する際、配線ダクトに通すものではなく、主幹盤本体と各ローカル盤本体の上部側及び/又は下部側の開口部を連ねることにより配線配置部が形成され、前記配線配置部に前記配線を支持する支持部を介して、配線が配置される。その結果、配線の接続時や保守・点検を行う際、盤本体の内部又は外部より施工することができるため、配線の接続作業が極めて容易なものとなる。
【発明を実施するための最良の形態】
【０００７】
さらに、実施例を示し、この発明について詳しく説明する。なお、図において、盤本体内部に配置される配線等は本来破線で示すべきであるが、配線構造を明瞭にするために実線で示した。
【実施例】
【０００８】
図１（ａ）（ｂ）は、一連に配置された生産ユニット１７に対して、主幹盤本体１ａ及び各ローカル盤本体１ｂが配置された配線構造のレイアウト図である。
主幹盤本体１ａ内部には、後述する制御盤が設けられており、前記制御盤から引き出された配線は各ローカル盤本体１ｂを経由して、生産ユニット１７内部に配置されている各制御対象１６に電気や信号を供給するものである。
ここで、配線１０は電気配線や光配線等の通信配線、その他の目的で使用されるいずれかの配線であればよい。
【０００９】
次に、図２において、盤本体１の一例を示す。盤本体１は筐体状であり、内部に空間を有しており、制御盤４が収納されている。さらに前面には前面開口部２を有し、前面開口部２を閉鎖するように扉３が開閉可能に取り付けられている。
従って、盤本体１内部の制御盤４に対して、前面開口部２を通して配線作業を行い得るものとしている。
なお、上記構成の盤本体１は、主幹盤本体１ａおよびローカル盤本体１ｂともに同様の構成となっている。
【００１０】
本実施例では、筐体状の盤本体１上面に、上面の一部を切り取った上面開口部５が設けられており、さらに左右側面上部に上面開口部５と連なる凹形状の切欠部６を設けている。
前記盤本体１の材質そのものに限定はなく、金属あるいはプラスチック、木質材等によって構成された各種筐体であってもよい。
【００１１】
また、前記上面開口部５の内側近傍において、少なくとも１つの支持部材７が盤本体１の前方内面８から後方内面９にかけて、上部開口部を前後方向に横切るように取り付けられている。
前記支持部材７は、盤本体１の内部に配置される制御盤４から引き出された配線１０及び配線分岐部１１を支持している。
【００１２】
前記支持部材７について、材質は金属・プラスチック等のいずれでもよく、形状は平板・丸棒・角棒等のいずれの形状であってもよい。
また、支持部材７を盤本体１の内面に取り付ける方法としては、溶接やボルトナット、ネジによる固定等、周知の固定手段であればいずれの手段であってもよい。
ここで、支持部材７を取り外し可能に固定すれば、支持された配線分岐部１１の位置を自由に変更することができるため、より好ましい。
【００１３】
次に、図３（ａ）（ｂ）において、図２で説明した盤本体１を組み入れた本発明の一実施態様を示す。本体集合体１２は、前記盤本体１と実質的に同じ構成の筐体からなる主幹盤本体１ａとローカル盤本体１ｂとを連接することによって形成される。
【００１４】
より詳しく説明すると、本体集合体１２は、主幹盤本体１ａの左右両側にローカル盤本体１ｂ、１ｂを連接して配置することで形成される。
このとき、主幹盤本体１ａと左右両側のローカル盤本体１ｂ、１ｂは、隣り合う上部側の切欠部６が対向するように連接されるため、隣り合う盤本体１の上部側において、開口部が連なり配線配置部としての連通路１３が形成される。
すなわち、主幹盤本体１ａ内部に設置されている主幹制御盤４ａから引き出された配線１０は、支持部材７に取り付けられた配線分岐部１１を介して、連通路１３を通り、ローカル盤本体１ｂ内部に設置されたローカル制御盤４ｂと接続される。
【００１５】
前記連通路１３を設けることによって、配線ダクト１８を用いて配線を囲う必要がなく、盤本体１同士を配線で接続することができる。
その結果、連通路１３を通る配線１０は、上面開口部５及び前面開口部２を通して接続作業や保守・点検を容易に行うことができる。
【００１６】
また、支持部材７を取り外し可能に固定しておくことで、支持部材７の位置を自由に変更することができるので、配線の接続変更時の作業がより容易となる。なお、支持部材７を取り付ける方法については、図２の実施例と同様である。
【００１７】
いずれにしても、以上の実施例から明らかな通り、盤本体１は、上面に上面開口部５が設けられ、さらに左右側面上部に上面開口部５と連なる凹形状の切欠部６が設けられ、連接して配置されるため、従来のように、配線ダクトに依存しない配線が可能となり、メンテナンス性の優れた配線構造とすることができる。
【００１８】
図２において、上面開口部５を覆う蓋部材１４を、盤本体１に対して着脱可能に取り付けてもよいし、開閉可能に取り付けてもよい。また、上面開口部５の開口縁に沿って、蓋部材１４を固定するためのリブ１５を設けてもよい。
【００１９】
また、連通路１３は本体集合体１２の上部側でなく下部側であってもよいし、上部側及び下部側の両側であってもよい。
【００２０】
また、図２及び図３の実施例では、左右側面上部に凹形状の切欠部６を設けているが、凹形状以外に丸形、方形等、隣接する盤本体１に連通路１３を形成する形状であればいずれの形状であってもよい。
【００２１】
もちろん、この発明の構造は、その細部においてさらに様々な態様が可能であることは言うまでもない。
【産業上の利用可能性】
【００２２】
以上説明した通り、この発明により省施工であって、配線の接続作業や接続変更への対応が容易となるため、複数の生産ユニットが一連に配置される生産ラインの配線構造として適用できる。
【図面の簡単な説明】
【００２３】
【図１】（ａ）は本発明にかかる本体集合体の平面レイアウト図であり、（ｂ）は立体レイアウト斜視図である。
【図２】本発明にかかる盤本体の一実施形態を示す斜視図である。
【図３】（ａ）は本発明にかかる盤本体を連接した本体集合体の一実施形態を示す斜視図であり、（ｂ）は（ａ）のＸ−Ｘ断面図である。
【図４】従来技術である集中方式の平面レイアウト図ある。
【図５】（ａ）は従来技術である分散方式の平面レイアウト図であり、（ｂ）は立体レイアウト斜視図である。
【符号の説明】
【００２４】
１    盤本体
１ａ  主幹盤本体
１ｂ  ローカル盤本体
２    前面開口部
３    扉
４    制御盤
４ａ  主幹制御盤
４ｂ  ローカル制御盤
５    上面開口部
６    切欠部
７    支持部材
８    前方内面
９    後方内面
１０  配線
１１  配線分岐部
１２  本体集合体
１３  連通路
１４  蓋部材
１５  リブ
１６  制御対象
１７  生産ユニット
１８  配線ダクト
１９  主幹盤
２０  ローカル盤
【図１】
2007259613.tif 000003
【図２】
2007259613.tif 000004
【図３】
2007259613.tif 000005
【図４】
2007259613.tif 000006
【図５】
2007259613.tif 000007